(57)【要約】【課題】分流子の外周面の周囲に存する溶湯を効果的に冷却する。【解決手段】分流子１は、前端面９および外周面１０を有する分流子本体２１と、分流子本体の内部に形成され、冷媒が流れる流路を画成する流路穴２２と、流路穴に挿入される冷媒吐出管とを備える。流路穴は、曲がり流路を画成する曲がり流路穴３０を有し、曲がり流路穴は、分流子本体の前端面付近の位置まで前方に延びる上流側流路穴３１と、分流子本体の外周面付近の位置で外周面に沿って後方に延びる下流側流路穴３２と、上流側流路穴および下流側流路穴を連結する中間流路穴３３とを含む。冷媒吐出管は、上流側流路穴に挿入されると共に、上流側流路穴の前端に近接された冷媒吐出口を有する。【選択図】図４
2018008305.tif 000002
【特許請求の範囲】
【請求項１】
溶湯を受ける前端面と、前記前端面にて受けられた溶湯を後方に案内する外周面とを有する分流子本体と、
前記分流子本体の内部に形成され、冷媒が流れる流路を画成する流路穴と、
前記流路穴に挿入される冷媒吐出管と、
を備え、
前記流路穴は、曲がり流路を画成する曲がり流路穴を有し、前記曲がり流路穴は、
前記分流子本体の前端面付近の位置まで前方に延びる上流側流路穴と、
前記分流子本体の外周面付近の位置で前記外周面に沿って後方に延びる下流側流路穴と、
前記上流側流路穴および前記下流側流路穴を連結する中間流路穴と、
を含み、
前記冷媒吐出管は、前記上流側流路穴に挿入されると共に、前記上流側流路穴の前端に近接された冷媒吐出口を有する
ことを特徴とする分流子。
【請求項２】
前記中間流路穴は、前記上流側流路穴から延びて前記外周面の周方向に沿って湾曲された後、前記下流側流路穴に接続される
ことを特徴とする請求項１に記載の分流子。
【請求項３】
前記分流子本体は、前記中間流路穴を分割する分割面に沿って予め分割され、かつ互いに接合される
ことを特徴とする請求項１または２に記載の分流子。
【請求項４】
前記分流子本体の外周面は、溶湯を案内するための案内溝を有し、
前記下流側流路穴は、前記案内溝付近の位置で前記案内溝に沿って後方に延びる
ことを特徴とする請求項１〜３のいずれか一項に記載の分流子。
【請求項５】
前記下流側流路穴と前記案内溝の間隔が一定とされる
ことを特徴とする請求項１〜４のいずれか一項に記載の分流子。
【請求項６】
前記下流側流路穴は、前記上流側流路穴より高い位置に配置され、
前記下流側流路穴の高さ位置は、後方に向かうほど高くされる
ことを特徴とする請求項１〜５のいずれか一項に記載の分流子。
【請求項７】
前記曲がり流路穴は、第１の曲がり流路穴と第２の曲がり流路穴を有し、
前記第１の曲がり流路穴の前記中間流路穴は、前記上流側流路穴の中間部から延び、
前記第２の曲がり流路穴の前記中間流路穴は、前記上流側流路穴の前端部から延びる
ことを特徴とする請求項１〜６のいずれか一項に記載の分流子。
【請求項８】
前記第２の曲がり流路穴の前記中間流路穴と、前記分流子本体の前端面との間隔が一定とされる
ことを特徴とする請求項７に記載の分流子。
【発明の詳細な説明】
【技術分野】
【０００１】
本発明は分流子に係り、特に、ダイカスト鋳造に用いられる分流子に関する。
【背景技術】
【０００２】
ダイカスト鋳造において、プランジャチップにより押し出された溶湯を受けてランナー通路に案内する分流子が一般的に用いられる。分流子の内部には冷却水や冷却オイル等の冷媒が流通され、分流子の周囲の溶湯の熱を分流子を介して冷媒により奪うことで、溶湯と冷媒との間で熱交換し、溶湯を冷却することで溶湯を固化させる。
【先行技術文献】
【特許文献】
【０００３】
【特許文献１】特開２００７−２９６５７２号公報
【発明の概要】
【発明が解決しようとする課題】
【０００４】
分流子の前端面に隣接した前方箇所では、比較的厚肉のビスケットと称される円盤状の鋳造部材が形成される。このビスケットの冷却および固化をできるだけ早く行うことがサイクルタイムの短縮に重要である。そのため一般的には、分流子の前端面付近の位置、すなわち前端面の裏側に、比較的冷たい新規の冷媒を吐出し、ビスケットからできるだけ早く熱を奪う試みがなされている。
【０００５】
しかし、ビスケット形成箇所から、製品鋳造箇所に至る手前のランナー通路に、分流子の外周面に沿って、溶湯が案内される。この外周面周囲の溶湯もできるだけ早く冷却および固化させるのが、サイクルタイムの短縮に有利であるが、従来、こうした外周面周囲の溶湯の冷却については効果的な提案が少なく、当該溶湯の冷却を効果的に行える構造が望まれる。
【０００６】
そこで本発明は、かかる事情に鑑みて創案され、その目的は、分流子の外周面の周囲に存する溶湯を効果的に冷却することができる分流子を提供することにある。
【課題を解決するための手段】
【０００７】
本発明の一の態様によれば、
溶湯を受ける前端面と、前記前端面にて受けられた溶湯を後方に案内する外周面とを有する分流子本体と、
前記分流子本体の内部に形成され、冷媒が流れる流路を画成する流路穴と、
前記流路穴に挿入される冷媒吐出管と、
を備え、
前記流路穴は、曲がり流路を画成する曲がり流路穴を有し、前記曲がり流路穴は、
前記分流子本体の前端面付近の位置まで前方に延びる上流側流路穴と、
前記分流子本体の外周面付近の位置で前記外周面に沿って後方に延びる下流側流路穴と、
前記上流側流路穴および前記下流側流路穴を連結する中間流路穴と、
を含み、
前記冷媒吐出管は、前記上流側流路穴に挿入されると共に、前記上流側流路穴の前端に近接された冷媒吐出口を有する
ことを特徴とする分流子が提供される。
【０００８】
好ましくは、前記中間流路穴は、前記上流側流路穴から延びて前記外周面の周方向に沿って湾曲された後、前記下流側流路穴に接続される。
【０００９】
好ましくは、前記分流子本体は、前記中間流路穴を分割する分割面に沿って予め分割され、かつ互いに接合される。
【００１０】
好ましくは、前記分流子本体の外周面は、溶湯を案内するための案内溝を有し、
前記下流側流路穴は、前記案内溝付近の位置で前記案内溝に沿って後方に延びる。
【００１１】
好ましくは、前記下流側流路穴と前記案内溝の間隔が一定とされる。
【００１２】
好ましくは、前記下流側流路穴は、前記上流側流路穴より高い位置に配置され、
前記下流側流路穴の高さ位置は、後方に向かうほど高くされる。
【００１３】
好ましくは、前記曲がり流路穴は、第１の曲がり流路穴と第２の曲がり流路穴を有し、
前記第１の曲がり流路穴の前記中間流路穴は、前記上流側流路穴の中間部から延び、
前記第２の曲がり流路穴の前記中間流路穴は、前記上流側流路穴の前端部から延びる。
【００１４】
好ましくは、前記第２の曲がり流路穴の前記中間流路穴と、前記分流子本体の前端面との間隔が一定とされる。
【発明の効果】
【００１５】
本発明によれば、分流子の外周面の周囲に存する溶湯を効果的に冷却することができる。
【図面の簡単な説明】
【００１６】
【図１】ダイカストマシンを示す概略縦断側面図である。
【図２】分流子の外観を示す斜視図である。
【図３】分流子の内部構造を示す斜視図である。
【図４】分流子を示す縦断側面図である。
【図５】第１の曲がり流路穴と直線流路穴を示す斜視図である。
【図６】第２の曲がり流路穴を示す斜視図である。
【図７】第１の冷媒供給装置を示す縦断側面図である。
【図８】第２の冷媒供給装置を示す縦断側面図である。
【発明を実施するための形態】
【００１７】
以下、添付図面を参照して本発明の実施形態を説明する。
【００１８】
図１は、本実施形態に係る分流子が適用されたダイカストマシンを示す概略縦断側面図である。本実施形態のダイカストマシンＭは横射出式であり、その前後左右上下の各方向を図示する通りとする。分流子１の水平な中心軸Ｃの一端側（図中左側）が前側、他端側（図中右側）が後側である。なおこれら各方向があくまで説明の便宜上定められたものに過ぎない点に留意されたい。本実施形態のダイカストマシンＭは、例えばクラッチハウジングやミッションケース等といった車両部品である製品をダイカスト鋳造するために使用される。しかしながら製品の種類は任意である。本発明は縦射出式のダイカストマシンに適用することも可能である。
【００１９】
図中、符号２は固定型を示し、符号３は、固定型２に対し前後移動可能もしくは近接離反移動可能な可動型を示す。固定型２はダイカストマシンＭの固定プラテン４に固定され、可動型３はダイカストマシンＭの図示しない可動プラテンに固定される。
【００２０】
分流子１は可動型３に固定される。固定型２には、これに可動型３が合わされた際に分流子１が嵌合挿入される円筒状の分流子ブッシュ５と、分流子ブッシュ５の前方に隣接配置された円筒状の湯口スリーブ６とが固定される。固定プラテン４には、湯口スリーブ６の前方に隣接配置された円筒状のマシンスリーブ７が固定される。マシンスリーブ７内にはプランジャチップ８が前後にスライド可能に配置される。これらは分流子中心軸Ｃに同軸に配置される。
【００２１】
鋳造時、プランジャチップ８は後方に移動され、マシンスリーブ７内の溶湯を分流子１に向かって押し出す。この押し出された溶湯は、先ず分流子１の前端面９によって受けられ、次いで分流子１の外周面１０によって、固定型２と可動型３の間に形成された細長いランナー通路１１に案内される。そして溶湯は、ランナー通路１１を経て、やはり固定型２と可動型３の間に形成された製品鋳造室としてのキャビティ１２内に加圧状態で充満される。キャビティ１２内の溶湯が冷却および固化されることで製品が鋳造成形される。
【００２２】
詳しくは後述するが、分流子１の前端面９は凹部１３を有し、分流子１の外周面１０、特にその上部は、凹部１３と連続する溝部１４を有する。凹部１３に受け入れられた溶湯は、溝部１４と分流子ブッシュ５の隙間を通じて後方に案内され、ランナー通路１１に至る。よって溝部１４は、溶湯を案内するための案内溝をなす。
【００２３】
溶湯押し出し時に最後方まで移動されたプランジャチップ８と、分流子１の前端面９との間には、図中仮想線で示すような、比較的厚い円盤状のビスケットＢが形成される。このビスケットＢをできるだけ早く冷却および固化させることがサイクルタイムの短縮に重要である。
【００２４】
これに加え、ビスケットＢと、ランナー通路１１で形成されるランナーとの間には、溝部１４と分流子ブッシュ５の隙間で形成されビスケットＢとランナーを連結する連結体が形成される。この連結体をできるだけ早く冷却および固化させることも、サイクルタイムの短縮に重要である。
【００２５】
次に、分流子１について図２〜８を参照して説明する。
【００２６】
分流子１は、前述の前端面９および外周面１０を有する分流子本体２１と、分流子本体２１の内部に形成され、冷媒が流れる流路を画成する流路穴２２と、流路穴２２に挿入される冷媒吐出管２３（図７，８参照）とを備える。ここで、分流子本体２１が基本的に中空でなく、中実構造であって、かつその内部に複数の細長い流路穴２２が形成されている点に留意されたい。
【００２７】
図２は分流子１の外観を示す。図３は分流子１の内部構造、特に流路穴２２の構成を示し、外観を仮想線で透過的に示す。図４は分流子１の縦断側面図である。
【００２８】
図２〜図４に示すように、分流子本体２１は、可動型３に嵌合固定される四角形のベース部２４を有する。ベース部２４から前方に向かって突出される截頭円錐状の突出部２５が、ベース部２４の前面部に、かつ中心軸Ｃと同軸に形成されている。突出部２５の前端面が前記前端面９をなし、突出部２５の外周面が前記外周面１０をなす。
【００２９】
凹部１３は、前端面９の中心部から上部に延ばされた略長円状に形成される。溝部１４は、凹部１３の上端に滑らかに連続し、凹部１３と略同幅で後方に延びる。外周面１０の後端部は、ベース部２４の前面部に滑らかに繋がるよう略直角に且つ上向きに湾曲されている。これに合わせて、溝部１４の後端部も、ランナー通路１１に滑らかに繋がるよう略直角に且つ上向きに湾曲されている。
【００３０】
本実施形態において、流路穴２２は複数設けられる。流路穴２２は大別して３種類に分類される。すなわち流路穴２２は、図５に示す第１の曲がり流路穴３０と、図６に示す第２の曲がり流路穴４０と、図５に示す直線流路穴５０とを有する。第１および第２の曲がり流路穴３０，４０は、冷却水や冷却オイル等の冷媒を、単なる直線状ではなく、適宜屈曲状に流す曲がり流路穴を画成する。これに対し直線流路穴５０は冷媒を直線状に流す流路穴である。なお、図５，６がパイプ等の管材ではなく穴の形状を示す点に留意されたい。
【００３１】
図５に示すように、第１の曲がり流路穴３０には、左右対称に構成された左側のものと右側のものとがある。ここでは便宜上、右側のものについてのみ説明し、左側のものについては説明を割愛する。
【００３２】
第１の曲がり流路穴３０は、中心軸Ｃに平行に後方から前方に向かって直線的に延びる上流側流路穴３１と、上流側流路穴３１より高い位置に配置された下流側流路穴３２と、上流側流路穴３１および下流側流路穴３２を連結する中間流路穴３３とを含む。
【００３３】
図４に示すように、第１の曲がり流路穴３０において、上流側流路穴３１は、分流子本体２１の前端面９、特に凹部１３付近の位置まで前方に延びている。また下流側流路穴３２は、分流子本体２１の外周面１０付近の位置で外周面１０に沿って前方から後方に延びている。特に下流側流路穴３２は、溝部１４付近の位置で溝部１４に沿って前方から後方に延びている。下流側流路穴３２は、溝部１４の後端湾曲部１４Ａより前方に位置する直線部１４Ｂに沿って、あるいは直線部１４Ｂと平行に、直線的に延びている。
【００３４】
図５に示すように、中間流路穴３３は、上流側流路穴３１から延びて外周面１０の周方向に沿って湾曲された後、下流側流路穴３２に接続される。より詳細には、中間流路穴３３は、上流側流路穴３１から左右中心側に向かって斜め下方に延び、外周面１０の周方向に沿って上向き円弧状に半周湾曲され、その後下流側流路穴３２に至る。中間流路穴３３は、上流側流路穴３１の中間部（前端３１Ａから所定距離後方の位置）から延び、下流側流路穴３２の前端に接続される。下流側流路穴３２の前端は上流側流路穴３１の前端３１Ａより後方に位置される。
【００３５】
図４に示すように、下流側流路穴３２と溝部１４の直線部１４Ｂとの間隔ｔ１は一定とされる。外周面１０が水平の中心軸Ｃを中心とする截頭円錐状あるいはテーパ状であり、溝部１４の直線部１４Ｂの高さ位置が後方に向かうほど高くされる。よってこれに倣って、下流側流路穴３２の高さ位置も、後方に向かうほど高くされ、下流側流路穴３２は後方に向かうほど高くなるように中心軸Ｃに対して傾斜される。
【００３６】
次に、図６に示す第２の曲がり流路穴４０について説明する。第２の曲がり流路穴４０にも、左右対称に構成された左側のものと右側のものとがある。ここでも便宜上、右側のものについてのみ説明し、左側のものについては説明を割愛する。
【００３７】
第２の曲がり流路穴４０は第１の曲がり流路穴３０と近似した構成を有する。従って、第１の曲がり流路穴３０の構成要素に対応する第２の曲がり流路穴４０の構成要素については、符号を４０番台に変更し、同一名称を用いて説明する。
【００３８】
第２の曲がり流路穴４０は、中心軸Ｃに平行に後方から前方に向かって直線的に延びる上流側流路穴４１と、上流側流路穴４１より高い位置に配置された下流側流路穴４２と、上流側流路穴４１および下流側流路穴４２を連結する中間流路穴４３とを含む。
【００３９】
図４に示すように、第２の曲がり流路穴４０において、上流側流路穴４１は、分流子本体２１の前端面９、特に凹部１３付近の位置まで前方に延びている。また下流側流路穴４２は、分流子本体２１の外周面１０付近の位置で外周面１０に沿って前方から後方に延びている。特に下流側流路穴４２は、溝部１４付近の位置で溝部１４に沿って前方から後方に延びている。下流側流路穴４２は、溝部１４の直線部１４Ｂに沿って、あるいは直線部１４Ｂと平行に、直線的に延びている。
【００４０】
図６に示すように、中間流路穴４３は、上流側流路穴４１から延びて外周面１０の周方向に沿って湾曲された後、下流側流路穴４２に接続される。より詳細には、中間流路穴４３は、上流側流路穴４１から一旦下方に直線的に延びた後、外周面１０の周方向に沿って上向き円弧状に半周湾曲され、その後下流側流路穴４２に至る。中間流路穴４３は、上流側流路穴４１の前端部、特に前端４１Ａから延び、下流側流路穴４２の前端に接続される。下流側流路穴４２の前端と上流側流路穴４１の前端４１Ａとは前後方向の同一位置に位置される。
【００４１】
図４に示すように、下流側流路穴４２と溝部１４の直線部１４Ｂとの間隔ｔ２は一定とされる。また下流側流路穴４２の高さ位置は、溝部１４の直線部１４Ｂに倣って、後方に向かうほど高くされ、下流側流路穴４２は後方に向かうほど高くなるように中心軸Ｃに対して傾斜される。さらに中間流路穴４３と、分流子本体２１の前端面９、特に凹部１３との間隔ｔ３は一定とされる。
【００４２】
なお、図４は便宜上、第１の曲がり流路穴３０については上流側流路穴３１の穴軸の位置で切った断面を示し、第２の曲がり流路穴４０については上流側流路穴４１の穴軸の位置で切った断面を示し、直線流路穴５０についてはその穴軸の位置で切った断面を示す。実際には図３に示すように、これら上流側流路穴３１，４１および直線流路穴５０が同一の鉛直平面上にない点に留意されたい。
【００４３】
図４および図５に示すように、直線流路穴５０は、単純に、中心軸Ｃに平行に後方から前方に向かって直線的に延びている。直線流路穴５０は、分流子本体２１の前端面９、特に凹部１３付近の位置まで前方に延びている。前後方向において、直線流路穴５０の前端５０Ａは、上流側流路穴３１の前端３１Ａと同一位置に位置され、上流側流路穴４１の前端４１Ａより僅かに後方に位置されている。
【００４４】
このように本実施形態では、二つの第１の曲がり流路穴３０と、二つの第２の曲がり流路穴４０と、一つの直線流路穴５０とを含む３種類、計五つの流路穴２２が設けられている。こうした複雑形状の複数の流路穴２２を分流子本体２１の内部に分散して配置することで、後に詳述するが、前端面９（特に凹部１３）だけでなく、外周面１０（特に溝部１４）付近の溶湯をも効果的に冷却することができ、サイクルタイムの短縮が図れる。
【００４５】
ここで図３〜６を参照して、各流路穴３０，４０，５０の相対配置についてより詳しく述べる。中心軸Ｃの軸方向（前後方向）に関して、上流側流路穴３１と直線流路穴５０とは概ね同じ範囲内に位置され、上流側流路穴４１がそれら流路穴３１，５０より前方に延長されている。従って中間流路穴４３もそれら流路穴３１，５０より前方に位置される。中間流路穴４３よりも後方に中間流路穴３３が位置される。下流側流路穴４２は下流側流路穴３２より前方に延長されている。但し図４から分かるように、下流側流路穴４２，３２は同一の高さ位置に配置される。
【００４６】
他方、中心軸Ｃの軸方向に垂直な方向（上下左右方向）に関して、左右の上流側流路穴３１，３１および直線流路穴５０が逆三角形（例えば逆正三角形）の各頂点をなすように配置される。左右の上流側流路穴３１，３１および下流側流路穴３２，３２により囲まれたスペースの中に、左右の上流側流路穴４１，４１および下流側流路穴４２，４２が配置される。上流側流路穴３１は上流側流路穴４１より低い位置に配置され、直線流路穴５０は上流側流路穴３１より低い位置に配置される。
【００４７】
左右の下流側流路穴３２，３２の間に、左右の下流側流路穴４２，４２が同一の高さ位置で配置され、これら四つの流路穴３２，３２，４２，４２は互いに平行とされる。中心軸Ｃを基準とした外周面１０の半径が後方ほど大きくされるので、これに倣って、後方に位置する中間流路穴３３の曲率半径は、前方に位置する中間流路穴４３の曲率半径より大きくされる。
【００４８】
このように、分流子本体２１の内部には複雑形状の複数の流路穴２２が入り組んだ格好で配設されている。こうした分流子本体２１の製造を容易に可能とするため、分流子本体２１は、中間流路穴３３，４３を分割する分割面Ｐ１，Ｐ２（図４参照）に沿って予め分割され、かつ互いに接合される。
【００４９】
詳細には、軸方向に延びる直線状の流路穴３１，３２，４１，４２，５０は、分流子本体２１に対しドリル加工を行うことで比較的容易に作成できる。しかしながら、軸方向に対して垂直な方向に延びる中間流路穴３３，４３の作成は必ずしも容易ではない。そこで本実施形態では、中間流路穴３３，４３に沿ってこれを分割ないし縦割りする分割面Ｐ１，Ｐ２に沿って、分流子本体２１を予め分割することで、中間流路穴３３，４３の作成を容易としている。
【００５０】
具体的には、分流子本体２１の各分割片における分割面に対し、フライス加工等の機械加工を施し、中間流路穴３３，４３の半体を機械加工する。本実施形態では、中間流路穴３３，４３の全体が軸方向の一定位置で軸方向に垂直な方向に沿っているので、分割面Ｐ１，Ｐ２も軸方向に垂直な平面とされる。そして分割面Ｐ１，Ｐ２は中間流路穴３３，４３の穴軸上に位置され、中間流路穴３３，４３を等しく二分割するようになっている。
【００５１】
もっとも、中間流路穴は他の形状であっても良く、部分的にまたは全体的に、多少屈曲していたり、垂直方向に対し傾いていてもよい。こうした中間流路穴の形状に合わせて、分割面は屈曲面を含んでもよく、垂直方向に対して傾いた傾斜面を含んでもよい。いずれにしても分割面は、中間流路穴のできるだけ多くの領域、好ましくは全ての領域を、軸方向に分割できるような最適な位置、形状等とされるのがよい。必要であれば、一つの中間流路穴に対し二つ以上の分割面を設けてもよい。
【００５２】
こうして中間流路穴３３，４３の半体が機械加工された各分割片は、任意の接合方法、好ましくは本実施形態のような拡散接合により、互いに接合される。拡散接合は、高温高圧下で分割片同士を押し付け合うことでなされる接合方法で、これによると接合面同士が分子間結合するので、分割片同士を強固に接合できる。
【００５３】
さて、以上が流路穴２２の詳細であるが、これら流路穴２２には次に述べるような冷媒吐出管が挿入される。
【００５４】
図７および図８には、かかる冷媒吐出管を含む二種類の冷媒供給装置、すなわち第１の冷媒供給装置６０および第２の冷媒供給装置７０が示される。これら冷媒供給装置は、いずれも流路穴２２内に冷媒を供給するための装置である。
【００５５】
総じて述べると、第１の冷媒供給装置６０は直線流路穴５０と組み合わせて使用され、第２の冷媒供給装置７０は第１および第２の曲がり流路穴３０，４０と組み合わせて使用される。従って第１の冷媒供給装置６０は一つだけ使用され、第２の冷媒供給装置７０は四つ使用されることとなる。
【００５６】
ここで、各流路穴３０，４０，５０の入口部および出口部はそれぞれ、分流子本体２１の後端面２６に開口されている。これら入口部および出口部には、後端面２６の位置で開放された拡径部２７が設けられ、これら拡径部２７に各冷媒供給装置６０，７０の外管６１，７１の前端部ないし先端部が液密に挿入されるようになっている。本実施形態では、外管６１，７１の前端部の複数（本実施形態では二つ）のリング溝６２，７２にＯリング６２Ａ，７２Ａが装着され、Ｏリング６２Ａ，７２Ａが拡径部２７の内周面に密着することで液漏れが防止される。
【００５７】
なお、各冷媒供給装置６０，７０は可動型３（図１）の図示しない挿通穴に挿通され、外部の冷媒供給源または冷媒排出部との間で冷媒のやり取りを行う。
【００５８】
図７に示すように、直線流路穴５０と組み合わされる第１の冷媒供給装置６０は、ベース部材６３と、ベース部材６３に後端部ないし基端部が支持された内管６４および外管６１を備える。つまり第１の冷媒供給装置６０は、互いに同軸配置された内管６４および外管６１を備える二重管構造である。内管６４が前述の冷媒吐出管２３をなす。なお内管６４および外管６１は共に直管からなる。
【００５９】
ベース部材６３は、内管６４に連通して内管６４内に冷媒を供給する供給口６５と、内管６４および外管６１の間の通路に連通して当該通路から冷媒を排出する排出口６６とを有する。供給口６５および排出口６６には、外部の配管との接続を行う管継手が締結されるネジ穴６７が設けられている。
【００６０】
内管６４は外管６１から軸方向前方に突出され、直線流路穴５０の内部で前方に向かって同軸に延ばされると共に、直線流路穴５０の前端５０Ａに近接した位置、具体的には前端５０Ａから所定距離（例えば１０ｍｍ程度）後方の位置にて終端する。内管６４の前端開口部は、直線流路穴５０の前端５０Ａに直接的に冷媒を吐出する冷媒吐出口６８となっている。
【００６１】
図中矢印で示すように、供給口６５から内管６４内に供給された冷媒は、最初に直線流路穴５０の前端５０Ａに衝突し、分流子本体２１の前端面９付近を冷却する。供給直後の最も低温となっている冷媒により、前端面９付近を冷却するので、ビスケットＢの冷却を促進し、サイクルタイムを短縮できる。
【００６２】
その後、冷媒は、内管６４と直線流路穴５０の隙間を通じて後方に流れる。この流通過程においても、直線流路穴５０の周囲の部分を冷却できる。そして冷媒は、内管６４および外管６１の間の通路を経た後、排出口６６から排出される。
【００６３】
このように第１の冷媒供給装置６０は、直線流路穴５０の内部で往復方向の冷媒の流れを生じさせるものである。なお図５にも、冷媒の流れを矢印で参考的に示す。
【００６４】
次に、図８を参照して、第１および第２の曲がり流路穴３０，４０と組み合わされる第２の冷媒供給装置７０について説明する。ここでは便宜上、まず第１の曲がり流路穴３０と組み合わされた場合の例を説明し、その後第２の曲がり流路穴４０と組み合わされた場合の例を補足的に説明する。
【００６５】
第２の冷媒供給装置７０は、ベース部材７３と、ベース部材７３に後端部ないし基端部が支持された内管７４および外管７１を備える。第２の冷媒供給装置７０も、互いに同軸配置された内管７４および外管７１を備える二重管構造である。内管７４が前述の冷媒吐出管２３をなす。なお内管７４および外管７１は共に直管からなる。
【００６６】
ベース部材７３は、内管７４に連通して内管７４内に冷媒を供給する供給口７５を有する。供給口７５には、外部の配管との接続を行う管継手が締結されるネジ穴７７が設けられている。
【００６７】
第１の曲がり流路穴３０の上流側流路穴３１の後端部に拡径部２７が形成される。この拡径部２７に外管７１の前端部が前述の如く液密に挿入される。
【００６８】
内管７４は外管７１から軸方向前方に突出され、上流側流路穴３１の内部で前方に向かって同軸に延ばされると共に、上流側流路穴３１の前端３１Ａに近接した位置、具体的には前端３１Ａから所定距離（例えば１０ｍｍ程度）後方の位置にて終端する。内管７４の前端開口部は、上流側流路穴３１の前端３１Ａに直接的に冷媒を吐出する冷媒吐出口７８となっている。
【００６９】
冷媒吐出口７８は当然に、上流側流路穴３１に対する中間流路穴３３の接続位置よりも前方に位置される。
【００７０】
図中矢印で示すように、供給口７５から内管７４内に供給された冷媒は、最初に上流側流路穴３１の前端３１Ａに衝突し、分流子本体２１の前端面９付近を冷却する。供給直後の最も低温となっている冷媒により、前端面９付近を冷却するので、ビスケットＢの冷却を促進し、サイクルタイムを短縮できる。
【００７１】
その後、冷媒は、内管７４と上流側流路穴３１の隙間を通じて後方に流れる。この流通過程においても、上流側流路穴３１の周囲の部分を冷却できる。そして冷媒は、当該隙間から中間流路穴３３に流入する。
【００７２】
図５に矢印で示すように、中間流路穴３３に流入した冷媒は、中間流路穴３３内を流れた後、下流側流路穴３２に流入し、下流側流路穴３２内を後方に向かって流れ、その出口部から排出される。下流側流路穴３２の出口部の拡径部２７には冷媒排出用の管（図示せず）が挿入されており、この管を通じて冷媒が外部に排出される。このように第２の冷媒供給装置７０は、上流側流路穴３１の内部で概ね一方向の冷媒の流れを生じさせるものである。
【００７３】
冷媒は、中間流路穴３３および下流側流路穴３２を流れる過程において、それら流路穴３３，３２の周囲の部分を冷却する。特に、下流側流路穴３２が、分流子本体２１の溝部１４付近の位置で溝部１４に沿って延びているので、溝部１４内に存する溶湯を積極的かつ効果的に冷却することができる。
【００７４】
下流側流路穴３２と溝部１４の直線部１４Ｂとの間隔ｔ１が一定とされるので、溝部１４内の溶湯を均一に冷却できる。
【００７５】
中間流路穴３３は、分流子本体２１の軸方向中間位置で周方向あるいは外周面１０に沿って湾曲されている。よって、冷媒が中間流路穴３３を通じて流れるとき、中間流路穴３３の外側に位置する外周面１０の周方向領域を冷却できる。これも、溝部１４内に存する溶湯の冷却を促進するのに有利である。
【００７６】
最も冷却が要求される前端面９付近は、最も低温の新規の冷媒によって冷却され、次いで冷却が要求される外周面１０ないし溝部１４付近は、前端面９付近の冷却に用いられ若干温度上昇した冷媒によって冷却される。よって、前端面９付近の冷却後の冷媒を有効利用して外周面１０ないし溝部１４付近を冷却することができ、冷媒の利用効率を高めることができる。
【００７７】
第２の冷媒供給装置７０は、第２の曲がり流路穴４０と組み合わされた場合にも、概ね同様の作用効果を奏する。但し、冷媒の流通経路の相違に起因して若干の相違があるので、以下これについて説明する。図８ではこの場合の符号を適宜括弧書きで示す。
【００７８】
図８に示すように、第２の曲がり流路穴４０と組み合わされた場合、中間流路穴４３の分岐位置は仮想線で示すように、上流側流路穴４１の前端４１Ａの位置に変更される。前端４１Ａに衝突した冷媒は、破線矢印で示すように、その直後に下方に折れ曲がって中間流路穴４３に流入する。
【００７９】
図６に矢印で示すように、中間流路穴４３に流入した冷媒は、中間流路穴４３内を流れた後、下流側流路穴４２に流入し、下流側流路穴４２内を後方に向かって流れ、出口部から排出される。
【００８０】
前記同様、下流側流路穴４２を流れる冷媒により、溝部１４内に存する溶湯を積極的かつ効果的に冷却することができる。
【００８１】
また、中間流路穴４３は、上流側流路穴４１の前端４１Ａから出発し、前端面９ないし凹部１３付近の位置でＤ字状を描いて下流側流路穴４２に至る。このため、前端４１Ａに衝突した後も、中間流路穴４３を流れる冷媒により、前端面９付近を積極的かつ効果的に冷却することができ、ビスケットＢの冷却を促進できる。
【００８２】
中間流路穴４３と凹部１３の間隔ｔ３が一定とされるので、凹部１３内、ひいてはビスケットを形成する溶湯を均一に冷却できる。
【００８３】
以上のほか、第１および第２の曲がり流路穴３０，４０では、下流側流路穴３２，４２が上流側流路穴３１，４１より高い位置に配置されるので、冷媒の流れの中でエアが下流側に向かって浮上移動するのを促進できる。よってエア抜き性を向上すると共に、エア溜まりを抑制して、冷却効率を高めることができる。また、下流側流路穴３２，４２の高さ位置が後方に向かうほど高くされることも、エア溜まりの抑制および冷却効率向上に有利である。
【００８４】
ここで比較例として、本実施形態と同等の合計流路面積を持つ一つの太い直線流路穴の前端に、太い一つの冷媒吐出管から吐出した冷媒を衝突させ、分流子前端面付近を冷却する例を考える。この場合、直線流路穴の前端に衝突する冷媒の流速が、必ずしも十分な高速となり得ないため、高い熱交換効率や冷却性能を得ることが困難と想定される。
【００８５】
しかし本実施形態では、複数の細い流路穴（上流側流路穴３１，４１および直線流路穴５０）の前端に、それぞれ、細い冷媒吐出管（内管６４）から噴流の如く吐出した冷媒を衝突させる。このため、流路穴の前端に衝突する冷媒の流速を十分な高速とし、高い熱交換効率や冷却性能を得ることが可能となる。
【００８６】
以上述べたように本実施形態によれば、分流子１の前端面９付近に存する溶湯のみならず、分流子１の外周面１０の周囲に存する溶湯をも効果的に冷却することができ、サイクルタイムを短縮することができる。
【００８７】
なお、本発明の実施形態は他にも様々考えられる。例えば各流路穴の形状、寸法、向き、位置および相対配置等は必要に応じて適宜変更することが可能である。例えば上流側流路穴３１，４１を中心軸Ｃに対し多少傾斜させてもよい。また中間流路穴３３，４３を、中心軸Ｃに垂直な方向に対し多少傾斜させてもよい。
【００８８】
本発明の実施形態は前述の実施形態のみに限らず、特許請求の範囲によって規定される本発明の思想に包含されるあらゆる変形例や応用例、均等物が本発明に含まれる。従って本発明は、限定的に解釈されるべきではなく、本発明の思想の範囲内に帰属する他の任意の技術にも適用することが可能である。
【符号の説明】
【００８９】
１  分流子
９  前端面
１０  外周面
１４  溝部
２１  分流子本体
２２  流路穴
３０  第１の曲がり流路穴
３１，４１  上流側流路穴
３１Ａ，４１Ａ，５０Ａ  前端
３２，４２  下流側流路穴
３３，４３  中間流路穴
４０  第２の曲がり流路穴
６４，７４  内管
６８，７８  冷媒吐出口
Ｐ１，Ｐ２  分割面
ｔ１，ｔ２，ｔ３  間隔
【図１】
2018008305.tif 000003
【図２】
2018008305.tif 000004
【図３】
2018008305.tif 000005
【図４】
2018008305.tif 000006
【図５】
2018008305.tif 000007
【図６】
2018008305.tif 000008
【図７】
2018008305.tif 000009
【図８】
2018008305.tif 000010